(57)【要約】【課題】廃棄物処分場の分解・安定化を従来より早期に完了させるとともに、分解・安定化が完了するまでの維持管理期間を短縮することができる被覆型廃棄物処分場の埋立構造を提供すること。【解決手段】底盤１とこれに連なる側面２とに遮水工が施され、かつ上面が開放された処分場を備えるとともに、処分場の上方を屋根構造物１０で覆った被覆型廃棄物処分場において、処分場の底盤２に配設された浸出水集排水管３、４と、この浸出水集排水管３、４と連通する竪型浸出水集排水管５とを備え、換気ファン７を備えた換気ダクト６を竪型浸出水集排水管５に接続し、竪型浸出水集排水管５と浸出水集排水管３、４を介し、換気ファン７により強制的に埋立層８内への給気と埋立層８内の排気とを行う。【選択図】  図１
2005028234.tif 000002
【特許請求の範囲】
【請求項１】
底盤とこれに連なる側面とに遮水工が施され、かつ上面が開放された処分場を備えるとともに、処分場の上方を屋根構造物で覆った被覆型廃棄物処分場において、処分場の底盤に配設された浸出水集排水管と、該浸出水集排水管と連通する竪型浸出水集排水管とを備え、換気ファンを備えた換気ダクトを竪型浸出水集排水管に接続し、該竪型浸出水集排水管と浸出水集排水管を介し、前記換気ファンにより強制的に埋立層内への給気と埋立層内の排気とを行うようにしたことを特徴とする被覆型廃棄物処分場の埋立構造。
【請求項２】
浸出水集排水管の下流部にバルブを設けたことを特徴とする請求項１記載の被覆型廃棄物処分場の埋立構造。
【発明の詳細な説明】
【０００１】
【発明の属する技術分野】
本発明は、被覆型廃棄物処分場の埋立構造に関し、特に、廃棄物処分場の分解・安定化を従来より早期に完了させるとともに、分解・安定化が完了するまでの維持管理期間を短縮することができる被覆型廃棄物処分場の埋立構造に関するものである。
【０００２】
【従来の技術】
一般廃棄物最終処分場や管理型最終処分場である従来の被覆型廃棄物処分場においては、オープン型処分場の場合と同様に埋立構造は準好気性埋立構造としている。
この従来の準好気性埋立構造は、処分場の底部に浸出水集排水管を設け、浸出水を処分場から速やかに排出するとともに、自然換気により集排水管から埋立層内部へ空気を取り込むことによって廃棄物の好気的な分解を促進し、処分場の早期安定化を図っている。
【０００３】
【発明が解決しようとする課題】
しかしながら、上記従来の被覆型処分場においては、自然換気により集排水管から処分場内部へ空気を取り込むことによって廃棄物の好気的な分解を促進しているが、自然換気では埋立層が分解・安定化するまで長い期間を要し、維持管理コストが高くなる要因となっている。
【０００４】
本発明は、上記従来の被覆型廃棄物処分場が有する問題点に鑑み、廃棄物処分場の分解・安定化を従来より早期に完了させるとともに、分解・安定化が完了するまでの維持管理期間を短縮することができる被覆型廃棄物処分場の埋立構造を提供することを目的とする。
【０００５】
【課題を解決するための手段】
上記目的を達成するため、本発明の被覆型廃棄物処分場の埋立構造は、底盤とこれに連なる側面とに遮水工が施され、かつ上面が開放された処分場を備えるとともに、処分場の上方を屋根構造物で覆った被覆型廃棄物処分場において、処分場の底盤に配設された浸出水集排水管と、該浸出水集排水管と連通する竪型浸出水集排水管とを備え、換気ファンを備えた換気ダクトを竪型浸出水集排水管に接続し、該竪型浸出水集排水管と浸出水集排水管を介し、前記換気ファンにより強制的に埋立層内への給気と埋立層内の排気とを行うようにしたことを特徴とする。
【０００６】
この被覆型廃棄物処分場の埋立構造は、処分場の底盤に配設された浸出水集排水管と、該浸出水集排水管と連通する竪型浸出水集排水管とを備え、換気ファンを備えた換気ダクトを竪型浸出水集排水管に接続し、該竪型浸出水集排水管と浸出水集排水管を介し、前記換気ファンにより強制的に埋立層内への給気と埋立層内の排気とを行うようにしたことから、埋立層内に強制的に空気を取り込むことによって廃棄物の好気的な分解を促進し、廃棄物処分場の分解・安定化を従来より早期に完了させるとともに、分解・安定化が完了するまでの維持管理期間を短縮し、維持管理にかかる費用を容易に抑制することができる。
【０００７】
この場合において、浸出水集排水管の下流部にバルブを設けることができる。
【０００８】
これにより、浸出水集排水管の下流部をバルブにより閉塞し、換気ファンにより取り込んだ空気の漏洩を防止することができる。
【０００９】
【発明の実施の形態】
以下、本発明の被覆型廃棄物処分場の跡地先行利用方法の実施の形態を図面に基づいて説明する。
【００１０】
図１〜図２に、本発明の被覆型廃棄物処分場の埋立構造の一実施例を示す。
この被覆型廃棄物処分場の埋立構造は、底盤１とこれに連なる側面２とに遮水工が施され、かつ上面が開放された処分場を備えるとともに、処分場の上方が屋根構造物１０で覆われている。
底盤２には、有孔管からなる浸出水集排水管３、４が縦横に敷設されている。これらの浸出水集排水管３、４は、幹となる浸出水集排水管３を幹線、枝となる浸出水集排水管４を枝線とし、これらの浸出水集排水管幹線３と浸出水集排水管枝線４とは適宜連通するように接続されている。
また、浸出水集排水管３、４の接続部や浸出水集排水管４の側面到達部には、有孔管である竪型浸出集排水管５が接続されており、該竪型浸出水集排水管５の上部は埋立完了面の高さまで設けられている。
【００１１】
そして、この被覆型廃棄物処分場の埋立構造は、竪型浸出水集排水管５と換気ダクト６とを接続し、該換気ダクト６の換気ファン７を正逆回転することにより、図２に示すように、処分場内の埋立作業環境を良好に保つための排気もしくは給気を選択的に行う。
すなわち、埋立が進行した場合、換気ファン７により埋立層８内へ強制的に新鮮な空気を取り込むことによって、廃棄物の好気的な分解を促進し、処分場の早期安定化を図る。
なお、排気もしくは給気を選択的に行うために、換気ファン７を正逆回転することに代えて、換気ダクト６と換気ファン７の接続経路を切り替えるようにすることもできる。
また、換気ファン７は、必ずしも常時駆動し続ける必要はなく、例えば、定期時間毎に間欠駆動し、駆動しない間は、自然換気するようにすることもできる。
【００１２】
浸出水集排水管幹線３の最下流部は、バルブ９により閉塞できる構造とし、換気ファン７により取り込んだ新鮮な空気の漏洩を防止する。
なお、浸出水集排水管幹線３と枝線４は、集排水効果を高めるためと目詰まりを防止するため砂利により巻きたてていることは言うまでもない。
また、本実施例では、浸出水処理施設や遮水設備、散水設備、屋根構造物の換気設備、照明設備、その他の周辺設備などを図示省略しているが、これらの設備も処分場の内外に配置されていることはもちろんである。
【００１３】
かくして、本実施例の被覆型廃棄物処分場の埋立構造は、処分場の底盤１に配設された浸出水集排水管３、４と、該浸出水集排水管３、４と連通する竪型浸出水集排水管５とを備え、換気ファン７を備えた換気ダクト６を竪型浸出水集排水管５に接続し、該竪型浸出水集排水管５と浸出水集排水管３、４を介し、前記換気ファン７により強制的に埋立層８内への給気と埋立層８内の排気とを行うことから、埋立層８内に強制的に空気を取り込むことによって廃棄物の好気的な分解を促進し、処分場全体の分解・安定化を従来に比べ早期に完了させるとともに、分解・安定化が完了するまでの維持管理期間を短縮し、維持管理にかかる費用を容易に抑制することができる。
【００１４】
以上、本発明の実施例を説明したが、本発明は、この実施例の記載に限定されるものではなく、例えば、竪型浸出水集排水管はマンホール等でも構成することができるなど、その趣旨を逸脱しない範囲において適宜に変更することが可能である。
【００１５】
【発明の効果】
本発明の被覆型廃棄物処分場の埋立構造によれば、処分場の底盤に配設された浸出水集排水管と、該浸出水集排水管と連通する竪型浸出水集排水管とを備え、換気ファンを備えた換気ダクトを竪型浸出水集排水管に接続し、該竪型浸出水集排水管と浸出水集排水管を介し、前記換気ファンにより強制的に埋立層内への給気と埋立層内の排気とを行うことから、埋立層内に強制的に空気を取り込むことによって廃棄物の好気的な分解を促進し、廃棄物処分場の分解・安定化を従来より早期に完了させるとともに、分解・安定化が完了するまでの維持管理期間を短縮し、維持管理にかかる費用を容易に抑制することができる。
【００１６】
この場合、浸出水集排水管の下流部にバルブを設けることにより、浸出水集排水管の下流部をバルブにより閉塞し、換気ファンにより取り込んだ空気の漏洩を防止することができる。
【図面の簡単な説明】
【図１】本発明の被覆型廃棄物処分場の埋立構造の一実施例を示し、（ａ）はその平面図、（ｂ）は（ａ）のＡ−Ａ線断面図である。
【図２】同実施例の被覆型廃棄物処分場の埋立構造を示し、（ａ）は排気状態を示す断面図、（ｂ）は給気状態を示す断面図である。
【符号の説明】
１    処分場の底盤
２    処分場の側面
３    浸出水集排水管（幹線）
４    浸出水集排水管（枝線）
５    竪型浸出水集排水管
６    換気ダクト
７    換気ファン
８    埋立層
９    バルブ
１０  屋根構造物
【図１】
2005028234.tif 000003
【図２】
2005028234.tif 000004